【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
入力画像データからオブジェクトのエッジを判定する判定手段と、
前記エッジを構成する画素の画素値を補正するエッジ補正データを生成する手段と、
前記入力画像データにスクリーン処理を行なってスクリーンデータを生成する手段と、
前記スクリーンデータにおける前記エッジに存在するスクリーンドットを、前記オブジェクトの内側にずらした出力画像データを生成する画像合成手段と、
を備えることを特徴とする画像処理装置。
【請求項２】
前記スクリーンデータを生成する手段は、
前記入力画像データに第１のスクリーン処理を行なって第１のスクリーンデータを生成する第１のスクリーン処理手段と、
前記入力画像データに第２のスクリーン処理を行なって前記第１のスクリーンデータに対し位相のずれた第２のスクリーンデータを生成する第２のスクリーン処理手段と、
を有し、
前記画像合成手段は、前記第１のスクリーンデータと前記第２のスクリーンデータとを用いて、前記第１のスクリーンデータにおける前記エッジに存在するスクリーンドットを、前記オブジェクトの内側にずらした出力画像データを生成する、
ことを特徴とする請求項１に記載の画像処理装置。
【請求項３】
前記画像合成手段は、前記エッジを構成する画素に対しては前記エッジ補正データを用い、前記エッジに隣接する前記オブジェクト内側の画素に対しては前記第１のスクリーンデータと前記第２のスクリーンデータとを合成した合成データを用いることで、前記出力画像データを生成することを特徴とする請求項２に記載の画像処理装置。
【請求項４】
前記判定手段でエッジと判定された当該エッジの方向を示す情報を生成する手段をさらに備え、
前記画像合成手段は、前記エッジの方向を示す情報に基づいて、当該エッジの方向とは逆の方向に位相をずらした前記第２のスクリーンデータを前記第１のスクリーンデータに合成することにより前記合成データを生成する
ことを特徴とする請求項３に記載の画像処理装置。
【請求項５】
前記合成データは、前記第１のスクリーンデータにおける注目画素の画素値と前記第２のスクリーンデータにおける注目画素の画素値とを加算して得られた値に、所定の係数を乗算することにより得られることを特徴とする請求項４に記載の画像処理装置。
【請求項６】
前記第２のスクリーン処理手段は、前記第１のスクリーン処理手段で用いたディザマトリクスの位相をずらしたディザマトリクスを用いてスクリーン処理を行うことを特徴とする請求項２乃至５のいずれか１項に記載の画像処理装置。
【請求項７】
前記位相をずらしたディザマトリクスは、前記第１のスクリーン処理手段で用いたディザマトリクスの位相を、上下左右にそれぞれ一マスずらしたディザマトリクスであることを特徴とする請求項６に記載の画像処理装置。
【請求項８】
前記画像合成手段は、注目画素が、前記エッジに内接する画素である場合において、
前記注目画素に隣接する画素が前記エッジを構成する画素であって、かつ、前記スクリーンデータにおけるスクリーンドットを構成する画素である場合に、該隣接する画素の前記スクリーンデータにおける画素値から、前記エッジ補正データにおける画素値を減算して得られた第１の値を、前記注目画素の画素値とし、
前記注目画素が前記スクリーンドットを構成する画素である場合に、前記注目画素を含む所定領域内における前記スクリーンデータの合計値と該所定領域内における前記エッジ補正データの合計値との差を、該所定領域内の画素値が０以外の画素であって前記エッジを構成しない画素の数で除算して得られた第２の値を、前記注目画素の画素値とする、ことにより、
前記エッジに存在する前記スクリーンデータにおけるスクリーンドットを、前記オブジェクトの内側にずらした出力画像データを生成する、
ことを特徴とする請求項１に記載の画像処理装置。
【請求項９】
前記画像合成手段は、注目画素が、前記エッジに内接する画素である場合において、
前記注目画素に隣接する画素が前記エッジを構成する画素であって、かつ、前記スクリーンデータにおけるスクリーンドットを構成する画素である場合に、該隣接する画素の前記スクリーンデータにおける画素値から、前記エッジ補正データにおける画素値を減算して得られた第１の値に所定の補正率を乗算して得られた値を、前記注目画素の画素値とし、
前記注目画素が前記スクリーンドットを構成する画素である場合に、前記注目画素を含む所定領域内における前記スクリーンデータの合計値と該所定領域内における前記エッジ補正データの合計値との差を、該所定領域内の画素値が０以外の画素であって前記エッジを構成しない画素の数で除算して得られた第２の値を、前記注目画素の画素値とする、ことにより、
前記スクリーンデータにおける前記エッジに存在するスクリーンドットを、前記オブジェクトの内側にずらした出力画像データを生成する、
ことを特徴とする請求項１に記載の画像処理装置。
【請求項１０】
前記所定の補正率は、注目画素の所定の周辺領域内にあるエッジ画素の数によって決まることを特徴とする請求項９に記載の画像処理装置。
【請求項１１】
前記画像合成手段は、前記注目画素の画素値を入力値とし、前記第１の値及び前記第２の値を出力値としたルックアップテーブルを参照して、前記出力画像データを生成することを特徴とする請求項８に記載の画像処理装置。
【請求項１２】
請求項１乃至１１のいずれか１項に記載の画像処理装置によって生成された出力画像データを用いて画像を形成する画像形成装置。
【請求項１３】
入力画像データからオブジェクトのエッジを判定するステップと、
前記エッジを構成する画素の画素値を補正するエッジ補正データを生成するステップと、
前記入力画像データにスクリーン処理を行なってスクリーンデータを生成するステップと、
前記スクリーンデータにおける前記エッジに存在するスクリーンドットを、前記オブジェクトの内側にずらした出力画像データを生成するステップと、
を含むことを特徴とする画像処理方法。
【請求項１４】
第１の画像データに含まれるオブジェクトのエッジ部を検出し、検出されたエッジ部に基づき、前記第１の画像データの画素に対応するエッジ情報を生成する手段と、
前記第１の画像データに対してディザマトリクスを用いてディザ処理を行って、第２の画像データを生成する手段と、
データの出力手段であって、
前記第１の画像データにおけるオブジェクトの前記エッジ部の画素については、当該画素の画素値に基づくエッジ補正データを出力し、
前記第１の画像データにおけるオブジェクトに含まれる、前記エッジ部に隣接する領域については、
前記隣接する領域内の画素に対応する前記第２の画像データにおける画素の画素値が０ではない場合は、前記第１の画像データにおける前記隣接する領域内の前記画素の画素値と第一の補正特性とに基づいて取得されたデータを出力し、
前記隣接する領域内の画素に対応する前記第２の画像データにおける画素の画素値が０であり、かつ、前記第２の画像データにおける前記画素に隣接する画素の画素値が０ではなく、かつ、前記隣接する画素に対応する前記エッジ情報が前記エッジ部であることを示す場合は、前記第１の画像データにおける前記隣接する領域の画素の画素値と第二の補正特性とに基づいて取得されたデータを出力する、出力手段と、
を備えることを特徴とする画像処理装置。
【請求項１５】
前記出力手段は、前記隣接する領域内の画素に対応する前記第２の画像データにおける画素の画素値が０であり、かつ、前記第２の画像データにおける前記画素に隣接する画素の画素値が０であり、かつ、前記隣接する画素に対応する前記前記エッジ情報が前記エッジ部であることを示す場合は、前記隣接する領域内の画素に対応する前記第２画像データにおける画素の画素値を出力する、ことを特徴とする請求項１４に記載の画像処理装置。
【請求項１６】
第１の画像データに含まれるオブジェクトのエッジ部を検出し、検出されたエッジ部に基づき、前記第１の画像データの画素に対応するエッジ情報を生成するステップと、
前記第１の画像データに対してディザマトリクスを用いてディザ処理を行って、第２の画像データを生成するステップと、
データを出力するステップであって、
前記第１の画像データにおけるオブジェクトの前記エッジ部の画素については、当該画素の画素値に基づくエッジ補正データを出力し、
前記第１の画像データにおけるオブジェクトに含まれる、前記エッジ部に隣接する領域については、
前記隣接する領域内の画素に対応する前記第２の画像データにおける画素の画素値が０ではない場合は、前記第１の画像データにおける前記隣接する領域内の前記画素の画素値と第１の補正特性とに基づいて取得されたデータを出力し、
前記隣接する領域内の画素に対応する前記第２の画像データにおける画素の画素値が０であり、かつ、前記第２の画像データにおける前記画素に隣接する画素の画素値が０ではなく、かつ、前記隣接する画素に対応する前記エッジ情報が前記エッジ部であることを示す場合は、前記第１の画像データにおける前記隣接する領域の画素の画素値と第２の補正特性とに基づいて取得されたデータを出力する、ステップと、
を含むことを特徴とする画像処理方法。
【請求項１７】
第１の画像データに含まれるオブジェクトのエッジ部を検出し、検出されたエッジ部に基づき、前記第１の画像データの画素に対応するエッジ情報を生成する手段と、
前記第１の画像データに対してディザマトリクスを用いてディザ処理を行って、第２の画像データを生成する手段と、
データの出力手段であって、
前記第１の画像データにおけるオブジェクトの前記エッジ部の画素については、当該画素の画素値に基づくエッジ補正データを出力し、
前記第１の画像データにおけるオブジェクトに含まれる、前記エッジ部に隣接する領域については、
前記隣接する領域内の画素に対応する前記第２の画像データにおける画素がドットを構成する場合は、前記第１の画像データにおける前記隣接する領域内の前記画素の画素値と第一の補正特性とに基づいて取得されたデータを出力し、
前記隣接する領域内の画素に対応する前記第２の画像データにおける画素がドットを構成しない画素であり、かつ、前記第２の画像データにおける前記画素に隣接する画素がドットを構成する画素であり、かつ、前記隣接する画素に対応する前記エッジ情報が前記エッジ部であることを示す場合は、前記第１の画像データにおける前記隣接する領域の画素の画素値と第二の補正特性とに基づいて取得されたデータを出力する、出力手段と、
を備えることを特徴とする画像処理装置。
【請求項１８】
第１の画像データに含まれるオブジェクトのエッジ部を検出し、検出されたエッジ部に基づき、前記第１の画像データの画素に対応するエッジ情報を生成するステップと、
前記第１の画像データに対してディザマトリクスを用いてディザ処理を行って、第２の画像データを生成するステップと、
データを出力するステップであって、
前記第１の画像データにおけるオブジェクトの前記エッジ部の画素については、当該画素の画素値に基づくエッジ補正データを出力し、
前記第１の画像データにおけるオブジェクトに含まれる、前記エッジ部に隣接する領域については、
前記隣接する領域内の画素に対応する前記第２の画像データにおける画素がドットを構成する場合は、前記第１の画像データにおける前記隣接する領域内の前記画素の画素値と第一の補正特性とに基づいて取得されたデータを出力し、
前記隣接する領域内の画素に対応する前記第２の画像データにおける画素がドットを構成しない画素であり、かつ、前記第２の画像データにおける前記画素に隣接する画素がドットを構成する画素であり、かつ、前記隣接する画素に対応する前記エッジ情報が前記エッジ部であることを示す場合は、前記第１の画像データにおける前記隣接する領域の画素の画素値と第二の補正特性とに基づいて取得されたデータを出力する、ステップと、
を含むことを特徴とする画像処理方法。
【請求項１９】
コンピュータを、請求項１乃至１１、１４、１５、１７のいずれか１項に記載の画像処理装置として機能させるためのプログラム。
【手続補正２】
【補正対象書類名】明細書
【補正対象項目名】００４３
【補正方法】変更
【補正の内容】
【００４３】
ステップ５０７において、混合データ変換部４０１は、Ｍの画素値ＤMとＭの混合率ＭＲMとの積を求め、Ｍの画素値ＤM’を得る。
【手続補正３】
【補正対象書類名】明細書
【補正対象項目名】００４６
【補正方法】変更
【補正の内容】
【００４６】
ステップ５１０において、混合データ変換部４０１は、Ｙの画素値ＤYとＹの混合率ＭＲYとの積を求め、Ｙの画素値ＤY’を得る。
【手続補正４】
【補正対象書類名】図面
【補正対象項目名】図７
【補正方法】変更
【補正の内容】
【図７】
2016046606.tif 000001
【手続補正５】
【補正対象書類名】図面
【補正対象項目名】図１４
【補正方法】変更
【補正の内容】
【図１４】
2016046606.tif 000002